(57)【要約】【課題】搬送面に対するガラス面の高さのバラつきを抑え、媒体の読取不良及び搬送不良を防止できる光学読取装置を提供すること。【解決手段】媒体の搬送経路に前記媒体の表面を光学的に読み取る光学読取部を備えた光学読取装置において、前記光学読取部は、前記搬送経路の幅方向に延在して当該搬送経路の搬送面の一部を構成するフレーム部材とカバーガラスとを備え、前記フレーム部材に前記カバーガラスを支持するガラス支持部を設けた。【選択図】図４
2011035502.tif 000002
【特許請求の範囲】
【請求項１】
媒体の搬送経路に前記媒体の表面を光学的に読み取る光学読取部を備えた光学読取装置において、
前記光学読取部は、前記搬送経路の幅方向に延在して当該搬送経路の搬送面の一部を構成するフレーム部材とカバーガラスとを備え、前記フレーム部材に前記カバーガラスを支持するガラス支持部を設けたことを特徴とする光学読取装置。
【請求項２】
前記フレーム部材は、前記媒体を前記カバーガラスに導くガイド部を一体に備えることを特徴とする請求項１に記載の光学読取装置。
【請求項３】
前記ガイド部には、前記カバーガラスから離れるほど下方に傾斜して、前記搬送経路を搬送される前記媒体をすくい上げる傾斜面が形成されていることを特徴とする請求項２に記載の光学読取装置。
【請求項４】
前記ガイド部の前記カバーガラス側の縁部及び当該カバーガラスの縁部には、それぞれ当該ガイド部またはカバーガラスの一方から他方へ搬送される前記媒体をすくい上げるための面取り加工が施されていることを特徴とする請求項２または３に記載の光学読取装置。
【請求項５】
前記搬送経路の上下に前記光学読取部を対向配置し、各光学読取部の前記フレーム部材には、お互いに当接して前記カバーガラス間の隙間を所定距離に保持する当接部が設けられていることを特徴とする請求項１乃至４のいずれかに記載の光学読取装置。
【発明の詳細な説明】
【技術分野】
【０００１】
本発明は、搬送経路を搬送される媒体を光学的に読み取る光学読取部を備える光学読取装置に関する。
【背景技術】
【０００２】
従来、複写機やスキャナー装置等の光学読取装置では、媒体（読取対象物）が搬送される搬送経路に、この媒体の表面を光学的に読み取る読取部を設け、この読取部に対して、ローラー等により構成される搬送部によって媒体を搬送し、この媒体を読取部に押し付けて当該読取部のカバーガラスに媒体を密着させた状態で読み取るものが知られている（例えば、特許文献１参照）。
【先行技術文献】
【特許文献】
【０００３】
【特許文献１】特開２００９−１２４６６０号公報
【発明の概要】
【発明が解決しようとする課題】
【０００４】
ところで、この種の光学読取装置では、搬送経路の搬送面とカバーガラスの表面（ガラス面）との高さ管理が重要である。しかし、従来の構成では、既製の読取部を搬送経路に設けた固定部材に組み込んで固定していたため、搬送面に対するガラス面の高さが個体差によってバラつき、読取部での読取不良や、媒体の搬送不良（例えば、紙折れや紙ジャム）といった問題が生じるおそれがあった。
そこで、本発明の目的は、上述した事情に鑑みてなされたものであり、搬送面に対するガラス面の高さのバラつきを抑え、媒体の読取不良及び搬送不良を防止できる光学読取装置を提供することにある。
【課題を解決するための手段】
【０００５】
上記目的を達成するため、本発明は、媒体の搬送経路に前記媒体の表面を光学的に読み取る光学読取部を備えた光学読取装置において、前記光学読取部は、前記搬送経路の幅方向に延在して当該搬送経路の搬送面の一部を構成するフレーム部材とカバーガラスとを備え、前記フレーム部材に前記カバーガラスを支持するガラス支持部を設けたことを特徴とする。
この構成によれば、搬送経路の搬送面の一部を構成するフレーム部材にカバーガラスを支持するガラス支持部を設けたことにより、搬送面に対するカバーガラスの表面の高さのバラつきを抑えることができ、ひいては、媒体の読取不良及び搬送不良を防止することができる。
【０００６】
この構成において、前記フレーム部材は、前記媒体を前記カバーガラスに導くガイド部材を一体に備える構成としても良い。この構成によれば、ガイド部材により媒体をカバーガラスにスムースに導くことができ、媒体の読取不良及び搬送不良を防止することができる。
【０００７】
また、前記ガイド部には、前記カバーガラスから離れるほど下方に傾斜して、前記搬送経路を搬送される前記媒体をすくい上げる傾斜面が形成されている構成としても良い。この構成によれば、媒体搬送時に、傾斜面が媒体をすくい上げてカバーガラスにスムースに導くため、媒体の読取不良及び搬送不良を防止することができる。
【０００８】
また、前記ガイド部の前記カバーガラス側の縁部及び当該カバーガラスの縁部には、それぞれ当該ガイド部またはカバーガラスの一方から他方へ搬送される前記媒体をすくい上げるための面取り加工が施されている構成としても良い。この構成によれば、媒体をガイド部またはカバーガラスの一方から他方へ搬送する際に、この媒体の先端が面取り加工によってすくい上げられるため、この先端がガイド部またはカバーガラスに当接することが防止され、媒体の搬送不良を防止できる。
【０００９】
また、前記搬送経路の上下に前記光学読取部を対向配置し、各光学読取部の前記フレーム部材には、お互いに当接して前記カバーガラス間の隙間を所定距離に保持する当接部が設けられている構成としても良い。この構成によれば、フレーム部材に当接部を設けたことにより、カバーガラスと当接部との高さのバラつきを抑えることができるため、各当接部同士を当接させることにより、カバーガラス間の隙間のバラつきを抑えて当該隙間を所定距離に保持することができ、媒体の読取不良及び搬送不良を防止することができる。    
【発明の効果】
【００１０】
本発明によれば、搬送経路の搬送面の一部を構成するフレーム部材にカバーガラスを支持するガラス支持部を設けたことにより、搬送面に対するカバーガラスの表面の高さのバラつきを抑えることができ、ひいては、媒体の読取不良及び搬送不良を防止することができる。
【図面の簡単な説明】
【００１１】
【図１】実施形態におけるドットインパクトプリンターの外観斜視図である。
【図２】プリンター本体を示す斜視図である。
【図３】プリンター本体の側断面図である。
【図４】第２スキャナーの側断面図である。
【図５】図４の部分拡大図である。
【図６】光学読取装置を長手方向で切断した側断面図である。
【発明を実施するための形態】
【００１２】
以下、本発明の実施形態について図面を参照して説明する。
図１は、本実施形態に係る記録装置としてのドットインパクトプリンターの外観を示す正面斜視図である。図２は、プリンター本体１１を示す外観斜視図である。図３は、図１のドットインパクトプリンター１０を示す側断面図である。
図１に示すドットインパクトプリンター１０は、記録ヘッド（記録手段）１８（図３参照）が備える複数の記録ワイヤーを、リボンカートリッジ（図示略）から繰り出したインクリボン（図示略）を介して記録媒体（媒体）Ｓに押し付け、この記録媒体Ｓの記録面上にドットを形成することにより、文字を含む画像を記録するものである。また、ドットインパクトプリンター１０は、光学読取装置１１０（図３参照）を有し、この光学読取装置１１０によって記録媒体Ｓの表面に表示された文字や記号、画像等を読み取ることができる。
【００１３】
ドットインパクトプリンター１０で使用可能な記録媒体Ｓとしては、所定長さに切断されたカット媒体と、複数枚が連接された連続紙とがある。カット媒体としては、例えば単票紙や単票複写紙などの他、通帳や葉書、封筒などがあり、連続紙には連続複写紙を含む。
本実施形態では、記録媒体Ｓとして、金融機関等が発行する小切手または手形（以下、総称して小切手という）や、金融機関等が発行する通帳が使用される。小切手は、磁気インクによって、その表面の一部の領域ＭＡに使用者の口座番号や当該小切手のシリアル番号等のＭＩＣＲ（Magnetic Ink Character Recognition）情報が印刷された単票紙である。また、通帳は、複数枚の記録用紙が綴じられた冊子形態となっており、この冊子を開いた内側の面が記録面となっている。通帳の裏表紙に相当する面の後部には、磁気ストライプが設けられている。
なお、以下の説明において、矩形の記録媒体Ｓの４辺のうち、ドットインパクトプリンター１０へ向かって差し込まれる側の辺を先端とし、この先端と対向する側の辺を後端とする。
【００１４】
ドットインパクトプリンター１０は、図１に示すように、外装体としての上部カバー１２、上部ケース１３及び下部ケース１４を備え、上部ケース１３及び下部ケース１４の前面には、記録媒体Ｓを挿入あるいは排出する手差口１５が開口している。この手差口１５が開口した側、すなわち図３中の左側をフロント（前）側とし、図３中の右側をリア（後）側とする。
ドットインパクトプリンター１０は、図２に示すように、上部カバー１２、上部ケース１３及び下部ケース１４に覆われるプリンター本体１１を有している。このプリンター本体１１は、下本体部１１Ａと、この下本体部１１Ａの後端部に軸１１Ｃで支持される上本体部（図示略）とを備えている。上本体部は、上本体部の左側面に設置されている開閉レバー（図示略）の操作によって回転され、プリンター本体１１内部が露出される。
【００１５】
図２及び図３に示すように、プリンター本体１１は、ベースフレーム１６と、このベースフレーム１６の両端にそれぞれ立設して固定される右サイドフレーム１７Ａ及び左サイドフレーム１７Ｂとを備える。これら両サイドフレーム１７Ａ、１７Ｂの外側に、上本体部の両サイドフレーム（図示略）があり、その間には、キャリッジガイド軸３１が架け渡されると共に、両サイドフレーム１７Ａ、１７Ｂ間に平坦面形状の前方媒体案内２４及び後方媒体案内２５が固定して設けられる。これらの前方媒体案内２４と後方媒体案内２５との間に、平面形状のプラテン２１が配置され、このプラテン２１の上方には、プラテン２１に対向するように記録ヘッド１８が配置されている。
記録ヘッド１８は、キャリッジガイド軸３１に摺動自在に挿通されるキャリッジ１９に搭載されている。キャリッジ１９は、当該キャリッジ１９を駆動するキャリッジ駆動モーター（図示略）の正転又は逆転により、タイミングベルト（図示略）を介して駆動され、キャリッジガイド軸３１に案内されて往復移動される。
キャリッジ１９の移動方向は、図１中符号Ｘで示す方向、すなわち、キャリッジガイド軸３１の軸方向及びプラテン２１の長手方向と一致する主走査方向である。また、キャリッジ１９の移動（走査）範囲は、一対の上本体部両サイドフレームの間である。なお、キャリッジ１９の主走査方向Ｘに直交する方向、すなわち図１中符号Ｙで示す方向を副走査方向とする。
【００１６】
キャリッジ１９に搭載される記録ヘッド１８は、キャリッジ１９と共に主走査方向に走行される間に、その先端面においてプラテン２１に対向するワイヤー突出部（図示略）から記録ワイヤーを突出させてインクリボンに打ち当て、このインクリボンのインクを、プラテン２１と記録ヘッド１８との間に搬送される記録媒体Ｓに付着させて、記録媒体Ｓに文字を含む画像を記録する。このインクリボンは、上記の本体フレーム又はキャリッジ１９に装着されるリボンカートリッジ（図示略）内に折り畳まれて収納され、キャリッジ１９の走査に伴って繰り出される。また、記録ヘッド１８の後方側には、図３に示すように、プラテン２１の上方に位置するように媒体幅センサー５５が配設される。媒体幅センサー５５は、キャリッジ１９に搭載されてキャリッジ１９とともにプラテン２１上を走査され、記録媒体Ｓの側端の位置や記録媒体Ｓの幅を求めるために使用される。
【００１７】
プラテン２１は、図２、図３に示すように、キャリッジ１９の走行方向に延在して平面形状に形成され、その両端が、付勢ばね４１により記録ヘッド１８に向けて付勢されると共に、弾性支持されている。付勢ばね４１は圧縮コイルばねであり、この付勢ばね４１の付勢力により、記録ヘッド１８の記録動作時における記録ワイヤーの突出力が支持される。また、プラテン２１は、記録媒体Ｓの搬送中にこの記録媒体Ｓの厚さが変化した場合、又はプリンター本体１１に厚さの異なる記録媒体Ｓが搬入された場合に、付勢ばね４１の付勢力に抗して、記録ヘッド１８の先端により押圧されて記録ヘッド１８から離れる方向に移動する。これにより、記録媒体の厚さにかかわらず、記録ヘッド１８の先端と記録媒体Ｓの記録面との間のギャップが一定に確保される。
【００１８】
プリンター本体１１は、図３に示すように、記録媒体Ｓを搬送する媒体搬送機構（搬送手段）１００と、この媒体搬送機構１００で搬送される記録媒体Ｓの先端が突き当てられて当該記録媒体Ｓを整列させる整列機構２８と、小切手に設けられたＭＩＣＲ情報の読み取りや、通帳に設けられた磁気ストライプに対して磁気情報の読み取り又は書き込みを行う磁気ヘッド３４を備えた磁気データー読書部２９と、この磁気データー読書部２９の磁気ヘッド３４がＭＩＣＲ情報の読み取りを含む磁気情報処理の実行時に、記録媒体Ｓの浮き上がりを抑制すべく、記録媒体Ｓを上から押える媒体押え部３０と、を有している。
【００１９】
媒体搬送機構１００は、図２、図３に示すように、プラテン２１、第１駆動ローラー２２Ａ、第１従動ローラー２２Ｂ、第２駆動ローラー２３Ａ、第２従動ローラー２３Ｂ、第３駆動ローラー１２４Ａ、第３従動ローラー１２４Ｂ、前方媒体案内２４、後方媒体案内２５、媒体搬送モーター２６及び駆動輪列部２７を備えて構成されている。本構成では、媒体搬送機構１００は、前方媒体案内２４及び後方媒体案内２５上に、各ローラーを介して記録媒体Ｓを搬送する搬送経路Ｐを備え、当該前方媒体案内２４及び後方媒体案内２５の上面が搬送経路Ｐの搬送面ＰＡとして機能する。
本構成では、第１駆動ローラー２２Ａ、第１従動ローラー２２Ｂは、プラテン２１及び記録ヘッド１８に対してプリンター本体１１のフロント側に配置され、第２駆動ローラー２３Ａ、第２従動ローラー２３Ｂ及び第３駆動ローラー１２４Ａ、第３従動ローラー１２４Ｂは、プラテン２１及び記録ヘッド１８に対してプリンター本体１１のリア側に順次配置されている。
【００２０】
第１駆動ローラー２２Ａと第１従動ローラー２２Ｂとは、上下方向に配置されて対をなし、第２駆動ローラー２３Ａと第２従動ローラー２３Ｂとは、上下方向に配置されて対をなし、第３駆動ローラー１２４Ａと第３従動ローラー１２４Ｂとは、上下方向に配置されて対をなす。
第１駆動ローラー２２Ａ、第２駆動ローラー２３Ａ及び第３駆動ローラー１２４Ａは、媒体搬送モーター２６及び駆動輪列部２７によって回転駆動される駆動ローラーであり、第１従動ローラー２２Ｂ、第２従動ローラー２３Ｂ及び第３従動ローラー１２４Ｂは、それぞれ第１駆動ローラー２２Ａ、第２駆動ローラー２３Ａ、及び、第３駆動ローラー１２４Ａ側に所定の押圧力でばね４２Ａ、４２Ｂ、４２Ｃによりばね付勢されている従動ローラーである。これによって、第１駆動ローラー２２Ａと第１従動ローラー２２Ｂとが互いに反対方向に回転駆動され、第２駆動ローラー２３Ａと第２従動ローラー２３Ｂとが互いに反対方向に回転駆動され、第３駆動ローラー１２４Ａと第３従動ローラー１２４Ｂとが互いに反対方向に回転駆動される。
【００２１】
駆動輪列部２７は、図２に示すように、右サイドフレーム１７Ａの外側に配置される。この駆動輪列部２７は、正転又は逆転可能な媒体搬送モーター２６の駆動軸に回転一体に固定されたモーターピニオン５１を備える。このモーターピニオン５１からの駆動力が、減速ギア５２を介して第２駆動ローラー２３Ａの第２ローラー軸３３に取り付けられた第２駆動ギア５３Ｂへ伝達され、更に、この第２駆動ギア５３Ｂから中間ギア５４を介して第１駆動ローラー２２Ａの第１ローラー軸３２に取り付けられた第１駆動ギア５３Ａに伝達される。また、第２駆動ローラー２３Ａの第２ローラー軸３３の回転力が、例えば、駆動ベルト（図示略）によって第３駆動ローラー１２４Ａの第３ローラー軸１３４に伝達される。これにより、図３に示す第１駆動ローラー２２Ａ、第２駆動ローラー２３Ａ、及び、第３駆動ローラー１２４Ａが同一方向に回転して、記録媒体Ｓをプリンター本体１１内に搬送可能とする。つまり、図３に示す第１駆動ローラー２２Ａ、第２駆動ローラー２３Ａ、及び、第３駆動ローラー１２４Ａは、媒体搬送モーター２６が正転している場合、副走査方向に沿って、図中符号Ａで示すようにプリンター本体１１内に記録媒体Ｓを搬送し、媒体搬送モーター２６が逆転している場合、図中符号Ｂで示すように、プリンター本体１１内から排出する方向に記録媒体Ｓを搬送する。
【００２２】
整列機構２８は、記録ヘッド１８による記録媒体Ｓへの記録や、光学読取装置１１０による記録媒体Ｓの表面の読み取りを行う前に、この記録媒体Ｓを整列するものである。この整列機構２８は、第１駆動ローラー２２Ａ及び第１従動ローラー２２Ｂと記録ヘッド１８及びプラテン２１との間に設けられ、搬送経路Ｐ内に突出する複数（本実施形態では８枚）の整列板（整列用部材）３８と、この整列板３８を駆動する整列板モーター（図示略）とを備える。複数の整列板３８は、図２に示すように、搬送経路Ｐの幅方向（キャリッジ１９の主走査方向）に並設されており、これら整列板３８に記録媒体Ｓの先端部を突き当てることで記録媒体Ｓの向きを変え、この記録媒体Ｓを整列することができる。
【００２３】
また、プリンター本体１１は、図２に示すように、搬送経路Ｐにおける整列板３８の上流側近傍に、これら整列板３８に突き当てられた記録媒体Ｓの有無を検知する複数の媒体検知センサー３９を備える。媒体検知センサー３９は、それぞれ搬送経路Ｐを挟んで対向する発光部（ＬＥＤ等）と受光部（フォトトランジスター等）とを備える光透過型のセンサーであり、この発光部から発せられた光が受光部で受光されるか、記録媒体Ｓにより遮光されるかにより、記録媒体Ｓの有無を検知する。
媒体検知センサー３９は、略等間隔となるように整列板３８に沿ってそれぞれ配設されているため、媒体検知センサー３９の各出力（検知結果）に基づいて、整列板３８による整列後の記録媒体Ｓの搬送方向に対する傾きが、許容される傾きの範囲内にあるか否かを判定することができる。例えば、搬送経路Ｐの幅方向（キャリッジ１９の主走査方向）に並ぶ媒体検知センサー３９のうち、隣り合う２個が記録媒体Ｓを同時に検出した場合には、整列が完了したと判断される。
また、ドットインパクトプリンター１０は、媒体搬送モーター２６の駆動制御、キャリッジ１９の走行制御、記録ヘッド１８の記録ワイヤーによる記録動作の制御、光学読取装置１１０の読み取り動作の制御等、ドットインパクトプリンター１０の全体を制御する制御部として、例えばプリンター本体１１の後側の下方に、制御基板部（図示略）を備えている。
【００２４】
また、プリンター本体１１は、図２に示すように、第１駆動ローラー２２Ａのフロント側に、搬送経路Ｐへの記録媒体Ｓの挿入を検知する複数（本実施形態では４つ）の挿入検知センサー４７が並設されている。これら挿入検知センサー４７は、搬送経路Ｐに向けて光を発する発光部と、その反射光を検出する受光部とを備えた光反射型センサーである。なお、挿入検知センサーとして、搬送経路Ｐを挟んで対向するように発光部と受光部とを配した光透過型センサーを用いても良い。本構成では、すべての挿入検知センサー４７の受光部が、受光した状態から、いずれか１つの挿入検知センサー４７で受光が遮られた場合には、記録媒体Ｓが搬送経路Ｐ内に挿入されたと判断される。
【００２５】
また、プリンター本体１１は、図３に示すように、記録媒体Ｓの表面に表示された文字、記号または画像等を読み取る光学読取装置１１０を備える。この光学読取装置１１０は、記録媒体Ｓの上面側に印刷等で表示されている情報を読み取る第１スキャナー（光学読取部）１１１と、この第１スキャナー１１１に対向配置され、当該記録媒体Ｓの下面側に印刷等で表示されている情報を読み取る第２スキャナー（光学読取部）１１２とを備える。これら第１スキャナー１１１及び第２スキャナー１１２は、第２駆動ローラー２３Ａと第３駆動ローラー１２４Ａとの間に配置され、搬送経路Ｐを搬送中の記録媒体Ｓの情報を連続的に読み取る光学イメージセンサーである。第１スキャナー１１１及び第２スキャナー１１２は、例えば、ＣＩＳ（Contact Image Sensor）型の画像読取センサーであり、記録媒体Ｓに密着する平坦なカバーガラス１４０，１５０と、これらカバーガラス１４０，１５０を保持する本体ケース１４１，１５１とをそれぞれ備える。これら本体ケース１４１，１５１の内側には、ＬＥＤ等の光源から出力される光を記録媒体Ｓの読み取り領域に対して照射する照射部（図示略）と、主走査方向（Ｘ方向）に一列に配列された複数の受光センサー（図示略）と、この受光センサーからの信号を上記制御基板部に出力する出力部（図示略）とがそれぞれ収容されている。本実施形態では、第１スキャナー１１１及び第２スキャナー１１２としてＣＩＳ型を用いたが、ＣＣＤ（Charge Coupled Device）型の光学イメージセンサーを用いてもよい。
【００２６】
第２スキャナー１１２は、図２に示すように、プラテン２１と略平行にドットインパクトプリンター１０の幅方向に延在して長手形状に構成される本体ケース１５１及びカバーガラス１５０を備え、この本体ケース１５１は、カバーガラス１５０の上面（ガラス面）が後方媒体案内２５に形成された開口を通じて搬送経路Ｐに露出するように配置されている。
第１スキャナー１１１は、図３に示すように、カバーガラス１４０の下面（ガラス面）が、上記カバーガラス１５０の上面に対向するように第２スキャナー１１２の上方に設けられ、幅方向においても第２スキャナー１１２と略同一の長さの長手形状に形成されている。
第１スキャナー１１１の上部には付勢部材１１３が設けられ、第１スキャナー１１１は、付勢部材１１３によって後方媒体案内２５の記録媒体Ｓに対して近接するように付勢されている。また、付勢部材１１３は、第１スキャナー１１１を幅方向に渡って略均一な力で第２スキャナー１１２側に押し付けている。ここで、付勢部材１１３としては、コイルばねや板ばね、弾性を有するエラストマー等を使用することができる。
また、カバーガラス１４０、１５０のガラス面間には、所定の厚さの記録媒体が入り込み可能な間隔が設けられており、記録媒体Ｓを読み取る際には、搬送された記録媒体Ｓによって第１スキャナー１１１が上方に押し退けられ、付勢部材１１３が縮むことによりカバーガラス１４０、１５０間を記録媒体Ｓが通過可能となる。すなわち、光学読取装置１１０では、付勢部材１１３によって付勢された第１スキャナー１１１によって記録媒体Ｓを第２スキャナー１１２側に押し付けることで、記録媒体Ｓとカバーガラス１４０、１５０のガラス面とを確実に密着させて、読み取り品質を向上させている。
【００２７】
次に、スキャナーの構成について説明する。図４は、第２スキャナー１１２を記録媒体Ｓの搬送方向で切断した側断面図である。
第２スキャナー１１２は、上述のように、カバーガラス１５０と、本体ケース１５１とを備え、この本体ケース１５１は、図４に示すように、フレーム部材１５２と、このフレーム部材１５２の下方に配置されるホルダー１５３とを組み付けて構成されている。
このホルダー１５３は、上面が開放したトレー形状に形成されてベースフレーム１６（図３参照）に固定されている。フレーム部材１５２の下部には基板１５４が支持され、この基板１５４には上記したＬＥＤ等の光源から出力される光を記録媒体Ｓの読み取り領域に対して照射する照射部と、主走査方向（Ｘ方向）に一列に配列された複数の受光センサーと、この受光センサーからの信号を上記制御基板部に出力する出力部とが搭載される。
【００２８】
一方、フレーム部材１５２は、図４に示すように、上面と底面とが開放して矩形枠形状に形成された枠体部１５５を備え、この枠体部１５５の上縁部にはカバーガラス１５０が嵌めこまれて当該カバーガラス１５０を支持するガラス支持部１５６が形成されている。また、枠体部１５５には、この枠体部１５５の長手方向に延びる一対の上縁部から、それぞれ間隔をあけて主走査方向（Ｘ方向）に延出する複数の紙ガイド部（ガイド部）１５７が一体に形成されている。この紙ガイド部１５７は、後方媒体案内２５の上方に位置する水平面１５７Ａと、この水平面１５７Ａから後方媒体案内２５に向けて傾斜する傾斜面１５７Ｂとを備え、この傾斜面１５７Ｂが記録媒体Ｓをすくい上げる紙すくい面として機能する。これにより、記録媒体Ｓの搬送時に、傾斜面１５７Ｂが記録媒体Ｓをすくい上げてカバーガラス１５０にスムースに導くため、記録媒体Ｓの読取不良及び搬送不良を防止することができる。
また、水平面１５７Ａと、傾斜面１５７Ｂのうち後方媒体案内２５のより上方に位置する部分が搬送面ＰＡとして機能する。これにより、フレーム部材１５２は、このフレーム部材１５２の一部が搬送面ＰＡの一部として構成される。また、紙ガイド部１５７の下面は、ホルダー１５３の側面部に載置されて保持されている。
また、紙ガイド部１５７のカバーガラス１５０側の縁部及びカバーガラス１５０の縁部には、それぞれ、当該紙ガイド部１５７またはカバーガラス１５０の一方から他方へ搬送される記録媒体Ｓをすくい上げるためのＣ面（面取り）加工が施されている。このため、記録媒体Ｓを搬送する際に、この記録媒体Ｓの先端が紙ガイド部１５７及びカバーガラス１５０の側端部に当接することが防止され、紙ガイド部１５７とカバーガラス１５０との媒体のスムースな搬送を可能としている。
【００２９】
一方、フレーム部材１５２の枠体部１５５の下縁部には、枠体部１５５の外周に沿って形成された脚部１５８と、この脚部１５８の内側に形成された段部１５９とを備え、この段部１５９は、上記した基板１５４の厚みに相当する高さに形成され、この段差部１５９に基板１５４が保持されている。このように、本実施形態では、フレーム部材１５２にカバーガラス１５０と基板１５４とがそれぞれ支持されているため、このカバーガラス１５０と基板１５４との距離管理を正確に行うことができ、記録媒体Ｓの読み取り精度を高めることができる。
この段部１５９とホルダー１５３の底面とで基板１５４を挟持することができ、この基板１５４の取り付け及び固定を簡単に行うことができる。
また、第１スキャナー１１１は、第２スキャナー１１２と天地を逆転した点を除いて、この第２スキャナー１１２と略同一の構成を備えるため、説明を省略する。
【００３０】
ところで、媒体の搬送及び読み取りを正確に、そしてスムースに行うためには、搬送経路Ｐの搬送面ＰＡである紙ガイド部１５７の水平面１５７Ａとカバーガラス１５０の表面（ガラス面）１５０Ａとの高さ管理が重要である。
従来の構成では、既製のスキャナー装置を搬送経路Ｐに設けた固定部材に組み込んで固定し、この固定部材に紙ガイド部を形成していたため、各部材の公差が水平面１５７Ａとガラス面１５０Ａとの高さ管理に大きく影響していた。
具体的には、図５に示すように、従来の構成では、所定の設計条件で設計した場合であっても、各部材の個体差により、例えば、モンテカルロ法によるワースト条件を算出すると、カバーガラス１５０のガラス面１５０Ａが、一点鎖線で示すガラス面１５０Ａ１まで上昇するとともに、紙ガイド部１５７の水平面１５７Ａが一点鎖線で示す水平面１５７Ａ１まで下降するため、この場合の水平面１５７Ａ１とガラス面１５０Ａ１との高さＨ１は設計値よりもかなり小さな値となっていた。このため、この条件で紙搬送を行う場合には、スキャナーでの読取不良や、例えば、紙折れや紙ジャムといった搬送不良が生じるおそれがあった。
【００３１】
これに対して、本実施形態では、搬送面ＰＡの一部を構成する紙ガイド部１５７が一体に形成されたフレーム部材１５２にカバーガラス１５０を支持するガラス支持部１５６を設けているため、従来の構成よりも公差が生じる要因を低減することができる。このため、同一の設計条件でモンテカルロ法によるワースト条件を算出したとしても、カバーガラス１５０のガラス面１５０Ａが、二点鎖線で示すガラス面１５０Ａ２まで上昇するにとどまり、水平面１５７Ａとガラス面１５０Ａ２との高さＨ２を、上記した従来の高さＨ１よりも大きい適正な値に保持することができる。このため、搬送面ＰＡの一部を構成する紙ガイド部１５７の水平面１５７Ａに対するガラス面１５０Ａの高さのバラつきを小さく抑えることができ、ひいては、第２スキャナー１１２での記録媒体Ｓの読取不良を防止できるとともに、記録媒体Ｓをスムースに搬送することができ、搬送時の紙折れや紙ジャムの発生を防止することができる。
【００３２】
図６は、光学読取装置１１０を長手方向で切断した側断面図である。この図６において、符号１４２は、フレーム部材、１４３はホルダー、１４６はガラス支持部を示している。
本実施形態では、第１スキャナー１１１及び第２スキャナー１１２は、図６に示すように、フレーム部材１４２、１５２の両端部からそれぞれ上下方向に延出してお互いに当接する当接片（当接部）１４２Ａ、１５２Ａを備える。これら当接片１４２Ａ、１５２Ａは、フレーム部材１４２、１５２に一体に形成されており、この当接片１４２Ａ、１５２Ａとガラス面１４０Ａ、１５０Ａとの高さＨ３のバラつきを低減することができる。
これによれば、第１スキャナー１１１及び第２スキャナー１１２を配置する際に、フレーム部材１４２、１５２の当接片１４２Ａ、１５２Ａ同士を当接させることにより、カバーガラス１４０、１５０間の隙間Ｇのバラつきを抑えて当該隙間Ｇを所定距離に保持することができる。このため、第１スキャナー１１１及び第２スキャナー１１２での記録媒体Ｓの読取不良を防止できるとともに、カバーガラス１４０、１５０間に記録媒体Ｓをスムースに搬送することができ、搬送時の紙折れや紙ジャムの発生を防止することができる。
【００３３】
以上、本発明の一実施形態について説明したが、本発明は、これに限定されるものではない。上記実施の形態では、ドットインパクトプリンター１０として説明したが、これに限るものではなく、例えば、インクジェット式のプリンターや、感熱媒体を加熱して画像を記録するサーマルプリンターを用いても良い。
さらに、ドットインパクトプリンター１０のように独立したプリンターとして使用される機器に限らず、他の機器（ＡＴＭ（Ａｕｔｏｍａｔｅｄ  Ｔｅｌｌｅｒ  Ｍａｃｈｉｎｅ）やＣＤ（Ｃａｓｈ  Ｄｉｓｐｅｎｓｅｒ）等）に組み込まれたものであってもよく、多様な機器に適用可能である。
【符号の説明】
【００３４】
１０…ドットインパクトプリンター（記録装置）、１１…プリンター本体、１８…記録ヘッド（記録手段）、１００…媒体搬送機構（搬送手段）、１１０…光学読取装置、１１１…第１スキャナー（光学読取部）、１１２…第２スキャナー（光学読取部）、１４０，１５０…カバーガラス、１４０Ａ，１５０Ａ…表面（ガラス面）、１４２，１５２…フレーム部材、１４２Ａ，１５２Ａ…当接片（当接部）１４６，１５６…ガラス支持部、１４７，１５７…紙ガイド部（ガイド部）、Ｐ…搬送経路、ＰＡ…搬送面、Ｓ…記録媒体（媒体）。
【図１】
2011035502.tif 000003
【図２】
2011035502.tif 000004
【図３】
2011035502.tif 000005
【図４】
2011035502.tif 000006
【図５】
2011035502.tif 000007
【図６】
2011035502.tif 000008